(57)【要約】【課題】小型軽量ながら冷却能力、温度制御能力が極めて優れたスターリング冷凍機を使って血液製剤を搬送する容器を提供することである。【解決手段】血液製剤Ｐの搬送装置１は、断熱性を有する搬送庫たる断熱容器３と、この断熱容器３内を所定の温度に保つための温度制御手段たる温度制御ユニット４とを有し、この温度制御ユニット４がスターリング冷凍機４５と、シーズヒータ５３と、前記スターリング冷凍機４５及び／又は前記シーズヒータ５３を駆動制御することで、前記断熱容器３内を、赤血球の保存に適した第一の温度帯域６６（４℃±２℃）と、血小板の保存に適した第二の温度帯域６７（２２℃±２℃）と、凍結血漿の保存に適した第三の温度帯域６８（−２０℃以下）の何れかの温度帯域に調節する制御回路６５とを有することにより、血液製剤Ｐを決められた庫内温度条件のもとで保存して、品質を維持することが可能となる。【選択図】図１
2008086608.tif 000002
【特許請求の範囲】
【請求項１】
断熱性を有する搬送庫と、この搬送庫内を所定の温度に保つための温度制御手段とを有し、
前記温度制御手段がスターリング冷凍機と、ヒータと、前記スターリング冷凍機及び／又は前記ヒータを駆動制御することで、前記搬送庫内を、赤血球の保存に適した第一の温度帯域（４℃±２℃）又は血小板の保存に適した第二の温度帯域（２２℃±２℃）に調節する制御回路とを有することを特徴とする血液製剤の搬送装置。
【請求項２】
前記制御回路が、凍結血漿の保存に適した第三の温度帯域（−２０℃以下）の温度帯域を選択可能としたことを特徴とする請求項１記載の血液製剤の搬送装置。
【請求項３】
前記ヒータが、前記スターリング冷凍機の吸熱用熱交換器に熱的に接して設けられていることを特徴とする請求項１又は２記載の血液製剤の搬送装置。
【請求項４】
前記搬送装置が、この搬送装置外の電源から電力を受けて前記温度制御手段を作動させるための受電手段と、二次電池と、この二次電池に充電するための充電回路を有すると共に、前記搬送装置外の電源からの電力が遮断された際に、前記搬送装置外の電源から前記二次電池に切り換える切換手段を有することを特徴とする請求項１から３記載の血液製剤の搬送装置。
【請求項５】
前記搬送庫内にスペーサを設置すると共に、このスペーサ上に籠状の容器を設置可能に構成して、前記搬送庫の内底部と前記容器の底部との間に間隙を形成したことを特徴とする請求項１から４記載の血液製剤の搬送装置。
【請求項６】
前記制御回路が、選択された温度帯域から庫内温度が外れた場合に警告する警報手段を有することを特徴とする請求項１から５に記載の血液製剤の搬送装置。
【請求項７】
前記温度制御手段と前記搬送庫とがそれぞれ独立して設けられていると共に、前記温度制御手段が前記搬送庫に対して着脱可能に構成されていることを特徴とする請求項１から６に記載の血液製剤の搬送装置。
【発明の詳細な説明】
【技術分野】
【０００１】
本発明は、血小板製剤等の血液製剤を搬送するための装置に関するものである。
【背景技術】
【０００２】
従来、血液製剤の搬送には、内部に断熱材の入った塩化ビニル等の合成樹脂製の保冷容器が使われ、蓄冷材や氷を入れて保冷されていた。例えば、冷却媒体の液体を収容した密閉蓋付き断熱性の液槽を有し、冷却媒体液中に被凍結物品（採血）を浸漬して凍結保存する凍結装置であって、冷却媒体液との間で熱交換が可能な蓄冷剤充填ケースを液槽内に配置したことを特徴とする凍結装置がある（特許文献１）。
【特許文献１】特開平０６−１７４３５３号公報
【発明の開示】
【発明が解決しようとする課題】
【０００３】
しかし、血液製剤の温度維持は季節によって蓄冷材の量を変えることなどで対応しているが、正確な温度維持が難しく、さらには長時間の温度維持管理は困難な状況にあった。
【０００４】
そこで本発明は、小型軽量ながら冷却能力、温度制御能力が極めて優れたスターリング冷凍機を使って血液製剤を搬送する装置を提供することである。
【課題を解決するための手段】
【０００５】
本発明の請求項１に記載の血液製剤の搬送装置は、断熱性を有する搬送庫と、この搬送庫内を所定の温度に保つための温度制御手段とを有し、前記温度制御手段がスターリング冷凍機と、ヒータと、前記スターリング冷凍機及び／又は前記ヒータを駆動制御することで、前記搬送庫内を、赤血球の保存に適した第一の温度帯域（４℃±２℃）又は血小板の保存に適した第二の温度帯域（２２℃±２℃）に調節する制御回路とを有するものである。
【０００６】
また、本発明の請求項２に記載の血液製剤の搬送装置は、請求項１において、前記制御回路が、凍結血漿の保存に適した第三の温度帯域（−２０℃以下）の温度帯域を選択可能としたものである。
【０００７】
また、本発明の請求項３に記載の血液製剤の搬送装置は、請求項１又は２において、前記ヒータが、前記スターリング冷凍機の吸熱用熱交換器に熱的に接して設けられているものである。
【０００８】
また、本発明の請求項４に記載の血液製剤の搬送装置は、請求項１から３において、前記搬送装置が、この搬送装置外の電源から電力を受けて前記温度制御手段を作動させるための受電手段と、二次電池と、この二次電池に充電するための充電回路を有すると共に、前記搬送装置外の電源からの電力が遮断された際に、前記搬送装置外の電源から前記二次電池に切り換える切換手段を有するものである。
【０００９】
また、本発明の請求項５に記載の血液製剤の搬送装置は、請求項１から４において、前記搬送庫内にスペーサを設置すると共に、このスペーサ上に籠状の容器を設置可能に構成して、前記搬送庫の内底部と前記容器の底部との間に間隙を形成したものである。
【００１０】
また、本発明の請求項６に記載の血液製剤の搬送装置は、請求項１から５において、前記制御回路が、選択された温度帯域から庫内温度が外れた場合に警告する警報手段を有するものである。
【００１１】
更に、本発明の請求項７に記載の血液製剤の搬送装置は、請求項１から６において、前記温度制御手段と前記搬送庫とがそれぞれ独立して設けられていると共に、前記温度制御手段が前記搬送庫に対して着脱可能に構成されているものである。
【発明の効果】
【００１２】
本発明の請求項１に記載の血液製剤の搬送装置は、以上のように構成することにより、搬送庫に収容される血液製剤が赤血球か血小板かに応じて、適切な庫内温度条件のもとで血液製剤を保存することにより、最適な品質維持が可能となる。
【００１３】
また、本発明の請求項２に記載の血液製剤の搬送装置は、以上のように構成することにより、赤血球と血小板に加え、凍結血漿を保存る適切な庫内温度条件のもとで血液製剤を保存することにより、最適な品質維持が可能となる。
【００１４】
また、本発明の請求項３に記載の血液製剤の搬送装置は、以上のように構成することにより、極低温状態となるスターリング冷凍機の吸熱用熱交換器に付着する霜を、搬送庫内を加熱するヒータによって加熱して取り除くことが可能となるばかりでなく、ヒータから放出された熱を前記吸熱用熱交換器を用いて効率良く搬送庫内の空気に放出することができる。
【００１５】
また、本発明の請求項４に記載の血液製剤の搬送装置は、以上のように構成することにより、自動車などの車輌の電源または充電池等の電池で駆動するため、車載が可能となる。また、他の交通手段を使っても容易に搬送が可能となる。
【００１６】
また、本発明の請求項５に記載の血液製剤の搬送装置は、以上のように構成することにより、籠状の前記容器の底側にも前記隙間により通風路が形成されたことで、前記搬送庫内の温度、ひいては収容される血液製剤等の温度を均一にすることが可能となる。
【００１７】
また、本発明の請求項６に記載の血液製剤の搬送装置は、以上のように構成することにより、前記搬送庫内の温度の異常を読み取って、前記搬送庫内の血液製剤の保存状況を把握してトレーサビリティを向上させることができ、最適な品質維持を可能とする。
【００１８】
更に、本発明の請求項７に記載の血液製剤の搬送装置は、以上のように構成することにより、任意の搬送庫に対して前記温度制御手段を組み合わせることが可能となるので、運用の自由度を向上させることができる。
【発明を実施するための最良の形態】
【００１９】
本発明における好適な実施の形態について、添付図面を参照して説明する。なお、以下に説明する実施の形態は、実用新案登録請求の範囲に記載された本発明の内容を限定するものではない。また、以下に説明される構成の全てが、本発明の必須要件であるとは限らない。
【実施例】
【００２０】
図１乃至図９は、本発明の一実施例を示している。
【００２１】
図１乃至図２に血液製剤の搬送装置の概要を示すように、１は血液製剤Ｐを運搬するための搬送装置である。この搬送装置１は、上部に開口部２を有する搬送庫としての断熱容器３と、前記開口部２を覆うように着脱自在に取り付けられる温度制御手段たる温度制御ユニット４で構成されている。
【００２２】
前記断熱容器３は、発泡合成樹脂や真空断熱材等から成る断熱材６の表面を熱反射フィルム７で被覆することで構成された、右壁８Ａ、左壁８Ｂ、前壁８Ｃ、後壁８Ｄ、底壁８Ｅ、そして、前記開口部２を備えた天壁８Ｆを直方体型に組み立てることで形成したものである。そして、前記前壁８Ｃは、上開き揺動開閉可能に前記底壁８Ｅ側に設けられ、更に、前記前壁８Ｃの上端と前記天壁８Ｆの前側端は固定手段９により着脱自在とされる。なお、本実施例では、前記固定手段９として、一対の面ファスナをそれぞれ前記前壁８Ｃの上端と前記天壁８Ｆの前側端に設けたが、実施形態の変形例として、面ファスナに代えて、ファスナ、スナップボタン、マグネットと磁性体の組み合せ等を採用してもよいこととする。更に、前記右壁８Ａ及び左壁８Ｂには、一対の把持部１０，１０がそれぞれ設けられる。また、前記断熱容器３の前壁８Ｃ側の内部には、前記前壁８Ｃを開けた際に、前記温度制御ユニット４によって温度が調節された前記断熱容器３内部の空気を外部に逃がさない為のビニール等の樹脂シート１１が前記天壁８Ｆ側から吊設されている。
【００２３】
更に、前記断熱容器３の天壁８Ｆには、二次電池たる補助バッテリ１２が両面ファスナ等の固定手段による外付けにより設置されている。なお、前記補助バッテリ１２は前記断熱容器３と一体に携帯可能であればよく、例えば前記補助バッテリ１２を前記断熱容器３の内部に設置しても構わないものとする。
【００２４】
また、前記底壁８Ｅの上面には、スペーサたる目皿２１が設置される。そして、この目皿２１には、血液製剤Ｐを収容する籠状の容器たるバスケット２２が取外し自在に載置される。ここで、前記目皿２１は、前記断熱容器３の内部に載置される前記バスケット２２の下端と、このバスケット２２の下端と対向する前記底壁８Ｅの上面との間に間隙Ｋが形成され、この間隙Ｋに空気が流通可能なものであればよい。このような前記目皿２１として、例えば簀の子状の構造が採用される。
【００２５】
図３乃至図５に前記温度制御ユニット４の詳細を示す。この温度制御ユニット４は、合成樹脂等から成る上外殻体３１及び下外殻体３２と、これらの外殻体３１，３２内に設けられる断熱壁３３とを有して構成されている。なお、この断熱壁３３は、発泡合成樹脂や真空断熱材等から構成されている。そして、前記温度制御ユニット４は、この温度制御ユニット４の外部と連通する機械室３４と、前記断熱容器２内と連通する冷却室３５とに区画されている。そして、前記冷却室３５における前記上外殻体３１の内側及び前記冷却室３５と機械室３４の境界に、前記断熱壁３３が設けられている。更に、この断熱壁３３には、後述するスターリング冷凍機４５の吸熱部４５Ｃを挿通するための貫通孔３６が形成されている。そして、前記上外殻体３１には、前記機械室３４と外部とを連通させる吸気口３７及び排気口３８が形成されている。また、前記下外殻体３２には、前記冷却室３５と断熱容器２内とを連通させる吸気口３９及び排気口４０が形成されていると共に、後述するヒートシンク５０の下方に取付部４１が形成されており、この取付部４１に対して水受け皿４２が着脱自在に取り付けられている。
【００２６】
前記機械室３４には、冷凍機ユニット４３が収容されている。この冷凍機ユニット４３は、略筒状のケーシング４４と、このケーシング４４内に略同軸状に収容されているスターリング冷凍機４５と、排熱ファン４６とを有して構成されている。前記ケーシング４４は、その一端が開口しており、その一端側の開口から前記スターリング冷凍機４５の筒状部４５Ａが突出すると共に、前記スターリング冷凍機４５の筒状部４５Ａ基端側の排熱部４５Ｂに伝熱的に設けられた排熱フィン４７が前記一端側の開口に位置するように、前記スターリング冷凍機４５が前記ケーシング４４内に配置されている。また、前記スターリング冷凍機４５の筒状部４５Ａ先端側の吸熱部４５Ｃ近傍には伝熱ブロック４８が伝熱的に取り付けられており、前記吸熱部４５Ｃ及び伝熱ブロック４８が、前記貫通孔３６から前記冷却室３５に露出している。また、前記筒状部４５Ａの中間部４５Ｄにおいて、前記筒状部４５Ａと貫通孔３６の隙間を塞ぐと共に、外気の持つ熱が前記中間部４５Ｄから吸熱部４５Ｃに移動しないように、断熱封止部材４９が設けられている。更に、前記排熱ファン４６が、前記排気口３８に臨んで設けられている。
【００２７】
前記貫通孔３６から前記冷却室３５に露出した前記スターリング冷凍機４５の吸熱部４５Ｃに取り付けられた伝熱ブロック４８には、吸熱用熱交換器としてのヒートシンク５０が伝熱的に取り付けられている。このヒートシンク５０は、アルミニウムや銅等、熱伝導性の良好な金属を押出し成形することにより、フィン５１が略垂直方向に延びるように平面視櫛歯状に形成されている。そして、前記ヒートシンク５０の背面には、前述の押出し成形時に形成された一対の溝５２に、それぞれ直線状のシーズヒータ５３がカシメ等により一体的に固定される。また、前記ヒートシンク５０と対向して、冷却ファン５４が設けられている。なお、この冷却ファン５４は、前記ヒートシンク５０に対して気流を吹き付けるように構成されていると共に、前記ヒートシンク５０の直下以外の位置（図３においては、前記ヒートシンク５０の左側）に設けられている。そして、前記冷却ファン５４を回転させることで、前記吸気口３９から前記冷却ファン５４及びヒートシンク５０を通過し、前記機械室３４の下方を通って前記排気口４０に至る通風路５５が構成される。この通風路５５における前記冷却ファン５４の上流側には温度センサ５６が設けられている。また、前記排熱ファン４６を回転させることで、前記吸気口３７から前記冷凍機ユニット４３のケーシング４４内を通過し、前記排気口３８に至る排熱用通風路５５Ａが構成される。なお、５７は電源スイッチである。
【００２８】
図６乃至図７は、前記搬送装置１の回路図である。図６に示すように、前記補助バッテリ１２は、オルタネータ５８により充電される車載用バッテリ５９の二次側に一側が受電手段たる第一の接続端子６０を通じ接続され、前記スターリング冷凍機４５の一次側に配置された前記電源スイッチ５７に他側が第二の接続端子６１を通じ接続される接続部材６２の途中に充電回路１２Ａを介して接続されている。そして、前記スターリング冷凍機４５は、基本的には前記車載用バッテリ５９で駆動される。なお、停車中にエンジンを停止させる、いわゆるアイドリングストップを行う場合、車輌側に設けられたイグニッションスイッチ等のスイッチ５９Ａを「切」にすることにより、前記補助バッテリ１２からの電力供給に切り換えられる。また、病院内等で搬送する場合、前記第一の接続端子６０を前記車載用バッテリ５９から切り離すことにより、前記補助バッテリ１２からの電力供給に切り換えられる。なお、前記温度制御ユニット４には、図示しない振盪ユニットを接続するための第三の接続端子６３が設けられている。
【００２９】
また、前記第一の接続端子６０は、前記接続部材６２の一次側を車輌側のシガレットライター用ソケットに差し込み可能な構成にしたものである。
【００３０】
なお、図７に示すように、実施形態の変形例として、前記第二の接続端子６１に専用のバッテリ６４のみを接続したものでもよいこととする。
【００３１】
また、図６乃至図７に示すいずれの回路も、図示しないＡＣアダプタを接続すれば家庭用電源でも前記搬送装置１が駆動可能である。
【００３２】
更に、前記排熱ファン４６及び冷却ファン５４においても前記車載用バッテリ５９又は補助バッテリ１２或いはバッテリ６４からの電力の供給を受けて作動可能に設けられており、その動作の開始と終了については、前記スターリング冷凍機４５に同期している。なお、ここで言う同期とは、前記スターリング冷凍機４５が作動している時のみ前記排熱ファン４６及び冷却ファン５４が作動することができるという意味ではなく、後述する制御回路６５によって前記スターリング冷凍機４５が作動可能な状態であれば、前記排熱ファン４６及び冷却ファン５４が作動することができるという意味である。従って、前記断熱容器３内の温度制御のために前記スターリング冷凍機４５が停止しているような状態であっても、前記排熱ファン４６及び冷却ファン５４は作動することができる。
【００３３】
次に、本実施例の前記温度制御ユニット４における制御系統について、図８を参照しながら説明する。同図において、６５はマイクロコンピュータなどからなる制御回路で、これは前記温度センサ５６からの前記通風路５５内の温度情報に基づいて、前記スターリング冷凍機４５と、シーズヒータ５３と、警報手段たるアラーム６５Ａを各々制御するものである。また、前記制御回路６５には、前記血液製剤Ｐ（赤血球、血小板、血漿等）の保存に最適な温度帯域である第一〜第三の温度帯域６６，６７，６８が予めプログラミングされており、第一の温度帯域６６では４℃±２℃（赤血球の保存に最適な温度）、第二の温度帯域６７では２２℃±２℃（血小板の保存に最適な温度）、第三の温度帯域６８では−２０℃以下（凍結血漿の保存に最適な温度）と設定されており、前記制御回路６５によって第一〜第三の温度帯域６６，６７，６８に切換可能に設けられる。
【００３４】
そして、図９に示すように、前記搬送装置１は、一の搬送装置１の天壁８Ｆに接続フレーム６９を設置し、この接続フレーム６９上に他の搬送装置１の断熱容器３を設置することで、強度が許す限り上下方向に積載可能となっている。これによって、ステーションワゴン型の車輌の荷室では、前記接続フレーム６９を用いることにより、前記搬送装置１を上下に例えば２台重ねた状態で積載することが可能である。
【００３５】
次に、上記構成について、その作用を説明する。なお、この例では、血液製剤Ｐとして赤血球を搬送する場合について説明する。まず使用者は、前記断熱容器３の開口部２を覆うように前記温度制御ユニット４を取り付けた後、前記断熱容器３内を、収容される血液製剤Ｐの温度帯域に予め調節しておく。なお、前記温度制御ユニット４が取り付けられる前記断熱容器３は、前記温度制御ユニット４が取り付けられるのであれば大きさは問わない。従って、赤血球Ｐを大量に搬送する場合には、前記温度制御ユニット４の温度調節能力の範囲内で大きな断熱容器を用いることができる一方、赤血球Ｐを少量搬送する場合には、小さな断熱容器を用いることで、搬送のための設置スペースや温度調節のための電力を節約することができる。そして、前記温度制御ユニット４は、図示しないＡＣアダプタを前記第二の接続端子６１に接続することで、交流電源から変換された直流電源によって作動することになる。そして、前記スターリング冷凍機４５及びシーズヒータ５３の電源スイッチ５７をオンとする。更に、図示しないＡＣアダプタから電力の供給を受けた前記搬送装置１において、図示しない操作部を操作して、前記制御回路６５によって、赤血球の保存に最適な温度帯域である第一の温度帯域６６に設定を切換えておく。なお、他の血液製剤を保存する場合、例えば血小板を保存するのであれば、前記制御回路６５における温度帯域の設定を第二の温度帯域６７とし、また凍結血漿を保存するのであれば、同様に温度帯域の設定を第三の温度帯域６８としておく。
【００３６】
そして、前記断熱容器３の内部の温度が第一の温度帯域６６より高い場合には、前記通風路５５に設けられた温度センサ５６からの信号に基づき、設定された第一の温度帯域６６となるまで、前記制御回路６５は前記スターリング冷凍機４５を作動させ、このスターリング冷凍機４５の吸熱部に熱的に接続された前記ヒートシンク５０により、前記通風路５５を流れる空気の熱を吸収し、この通風路５５と前記断熱容器３の内部とを循環する空気の温度を下げてゆく。そして、設定された第一の温度帯域６６となったところで、前記制御回路６５は、前記温度センサ５６からの信号を参照しながら、前記断熱容器３内が第一の温度帯域６６であり続けるように、前記スターリング冷凍機４５を制御する。
【００３７】
逆に、前記断熱容器３の内部の温度が第一の温度帯域６６より低い場合には、前記温度センサ５６からの信号に基づき、設定された第一の温度帯域６６となるまで、前記制御回路６５は前記シーズヒータ５３を作動させ、このシーズヒータ５３に熱的に接続された前記ヒートシンク５０により、前記通風路５５を流れる空気を加熱し、この通風路５５と前記断熱容器３の内部とを循環する空気の温度を上げてゆく。そして、設定された第一の温度帯域６６となったところで、前記制御回路６５は、前記温度センサ５６からの信号を参照しながら、前記断熱容器３内が第一の温度帯域６６であり続けるように、前記シーズヒータ５３を制御する。
【００３８】
このようにして、前記断熱容器３の内部と連通した前記通風路５５内の温度を前記温度センサ５６により検知し、この温度センサ５６からの前記通風路５５内の温度情報に基づいて、前記制御回路６５は予め設定した温度帯域より、前記通風路５５内の温度が高ければ前記スターリング冷凍機４５を作動させ、また、前記通風路５５内の温度が低ければ前記シーズヒータ５３を作動させ、前記断熱容器３の内部の温度が設定した温度帯域となるよう制御を行う。
【００３９】
また、前記スターリング冷凍機４５を作動させた場合に、極低温となる前記ヒートシンク５０には、前記通風路５５中の空気の水分が霜として付着する。このように、前記フィン５１に霜が付着してしまうと、櫛歯状に形成された前記フィン５１の隙間が霜により塞がってしまい、前記通風路５５内の空気の流れが滞ってしまう。これにより、前記通風路５５内のヒートシンク５０により冷却された空気と前記断熱容器３内部の空気との循環がスムーズに行われないばかりでなく、前記ヒートシンク５０自体の熱交換効率も霜によって低下してしまうため、前記スターリング冷凍機４５の冷凍機能が低下する。その場合、前記制御回路６５は、前記温度センサ５６からの温度情報に基づいて、前記ヒートシンク５０の除霜が必要かどうかの判断を行い、必要と判断した場合に前記制御回路６５が前記ヒートシンク５０と一体に設けられた前記シーズヒータ５３を作動させ、このシーズヒータ５３の発熱を利用し、前記ヒートシンク５０の除霜を行う。これにより、前記ヒートシンク５０の着霜を速やかに排除して前記スターリング冷凍機４５の冷却機能を回復させ、安定した冷却性能継続して得ることを可能とする。また、前記ヒートシンク５０の除霜動作は、タイマー手段を用いて定期的に行うようにしてもよい。また、前記ヒートシンク５０に付着していた霜が溶けて生じたドレン水は、前記ヒートシンク５０の下方を覆うように折り曲げ形成された前記取付部４１の受け部４１Ａに流れ落ちて、そのまま前記水受け皿４２へと案内される。そして、前記水受け皿４２にドレン水が一定量溜まった場合、前記水受け皿４２を前記取付部４１から取り外して、前記水受け皿４２の中のドレン水を処分することができる。
【００４０】
また、前記スターリング冷凍機４５の排熱部４５Ｂの排熱については、前記スターリング冷凍機４５と同期して作動する前記排熱ファン４６により、前記吸気口３７から前記排気口３８へと前記排熱用通風路５５Ａが形成されるため、前記排熱部４５Ｂの外周に設置された排熱フィン４７から放出された前記排熱部４５Ｂの熱、及び前記スターリング冷凍機４５自体が発する熱が、前記排熱用通風路５５Ａから前記温度制御ユニット４外に排出される。このようにして、前記スターリング冷凍機４５の排熱が行われ、さらに、前記断熱壁３３により前記スターリング冷凍機４５の吸熱部４５Ｃと前記ヒートシンク５０とが外部から熱的に隔絶されたことにより、前記温度制御ユニット４の内部における前記ヒートシンク５０に前記スターリング冷凍機４５からの排熱が熱的に影響を与える事はない。
【００４１】
そして、前記断熱容器３内が第一の温度帯域６６となったことが確認されると、使用者は前記断熱容器３の前壁８Ｃを開き、血液製剤たる赤血球Ｐの入った前記バスケット２２を、前記断熱容器３に備えられた目皿２１に載置した後、前記前壁８Ｃを閉じ、前記固着手段９により前記前壁８Ｃと天壁８Ｆとを固定する。なお、このように前記前壁８を開いても、前記樹脂シート１１がカーテンの役割を果たすことで、前記断熱容器３内から流出する温度が調節された空気を少なく抑えることができる。なお、前述したように、赤血球Ｐが前記バスケット２２に入れられた状態で前記目皿２１上に置かれていることで、前記温度制御ユニット４と断熱容器３内を循環する温度が調節された空気が、前記バスケット２２の上面及び各側面ばかりでなく、前記隙間Ｋに入り込み、この隙間Ｋからも前記バスケット２２の目を通って赤血球Ｐの周囲の隅々まで行き渡るので、赤血球Ｐの温度を確実に設定温度帯域６６にすることができる。また、赤血球Ｐを前記断熱容器３に入れる際には、前記バスケット２２ごと前記断熱容器３内に入れれば良く、赤血球Ｐを前記断熱容器３から取り出す際も、前記バスケット２２ごと前記断熱容器３から取り出せばよいので、赤血球Ｐの出し入れが容易である。
【００４２】
そして、前記搬送装置１を人力で運搬する場合、前記電源スイッチ３０を一旦オフとして、図示しないＡＣアダプタを前記第二の接続端子６１から取り外した後、この接続端子６１に前記接続部材６２を接続し、更にこの接続部材６２に前記補助バッテリ１２を接続する。なお、この補助バッテリ１２は、予め充電されているものとする。そして、前記電源スイッチ３０を再びオンとすることで、前記補助バッテリ１２から供給された直流電力によって、前記温度制御ユニット４が再び作動する。なお、前記補助バッテリ１２は、前述したように、前記天壁８Ｆ上に図示しない両面ファスナ等の固定手段によって設置されているので、前記搬送装置１と共に運搬することが可能である。
【００４３】
そして、前記搬送装置１を車輌に積載して搬送する場合、前記接続部材６２に設けられた前記第一の接続端子６０を、車輌のシガーソケット等に差し込み、車輌側のイグニッションスイッチ等の前記スイッチ５９Ａをオンとする。この際、電源が前記補助バッテリ１２から前記車載用バッテリ５９に切り替わり、前記温度制御ユニット４は、前記車載用バッテリ５９からの直流電力によって作動する。なお、この際、前記補助バッテリ１２は、前記充電回路１２Ａを通じて前記車載用バッテリ５９からの電力を受けて充電される。
【００４４】
そして、この状態では、図６乃至図７からも分るように、前記温度制御ユニット４は、基本的に前記車載用バッテリ５９により駆動可能となっているが、アイドリングストップのために前記スイッチ５９Ａをオフとすると、前記温度制御ユニット４への電力の供給源が、前記車載用バッテリ５９から前記補助バッテリ１２へと切り替わることで運転し続ける。また、図７に示すように、前記搬送装置１は専用のバッテリ６４で単独で動くものでもよく、その場合、前記バッテリ６４の容量が十分であれば、車載するしないに拘わらず、出発地から目的地まで前記バッテリ６４によって前記断熱容器３内を設定温度帯域に保ち続けることができる。また、図６及び図７のいずれの場合にも、前記第二の接続端子６１に図示しないＡＣアダプタを接続すれば、家庭用電源で駆動できる。
【００４５】
更に、前記制御回路６５は、一度前記断熱容器３内部の温度が設定した温度帯域となった後に、この温度帯域から前記断熱容器３内部の温度が外れた場合に、前記アラーム６５Ａを作動させ、警告を発する。このように構成されることで、使用者は前記断熱容器３内の温度の異常を知ることができ、前記断熱容器３内の血液製剤Ｐの保存状況を把握してトレーサビリティを向上させることができるので、前記血液製剤Ｐの最適な品質維持を可能とする。
【００４６】
以上のように、上記実施例では、請求項１に対応して、血液製剤の搬送装置１は、断熱性を有する搬送庫たる断熱容器３と、この断熱容器３内を所定の温度に保つための温度制御手段たる温度制御ユニット４とを有し、この温度制御ユニット４がスターリング冷凍機４５と、ヒータ５３と、前記スターリング冷凍機４５及び／又は前記ヒータ５３を駆動制御することで、前記断熱容器３内を、赤血球の保存に適した第一の温度帯域６６（４℃±２℃）又は血小板の保存に適した第二の温度帯域６７（２２℃±２℃）の温度帯域に調節する制御回路６５とを有することで、血液製剤Ｐを決められた庫内温度条件のもとで、保存することにより、最適な品質維持が可能となる。
【００４７】
また、上記実施例では、請求項２に対応して、請求項１において、前記制御回路６５が更に凍結血漿の保存に適した第三の温度帯域６８（−２０℃以下）を選択可能としたことで、適切な庫内温度条件の温度帯域が低い凍結血漿であっても、最適な品質維持が可能となる。
【００４８】
また、上記実施例では、請求項３に対応して、請求項１又は２において、前記シーズヒータ５３が、前記スターリング冷凍機４５の吸熱用熱交換器たるヒートシンク５０に熱的に接して設けられていることにより、極低温状態となる前記スターリング冷凍機４５のヒートシンク５０に付着する霜を取り除く作用を兼ねて、前記温度制御ユニット４の温度制御を精度及び効率を向上させることが可能となるばかりでなく、前記シーズヒータ５３から放出された熱を前記ヒートシンク５０を用いて効率良く前記断熱容器３内の空気に放出することができることで、温度制御の効率をより向上させることができる。
【００４９】
また、上記実施例では、請求項４に対応して、請求項１から３において、前記搬送装置１が、この搬送装置１外の電源たる車載用バッテリ５９から電力を受けて前記温度制御ユニット４を作動させるための受電手段たる第二の接続端子６１及び接続部材６２と、二次電池たる補助バッテリ１２と、この補助バッテリ１２に充電するための充電回路１２Ａを有すると共に、前記車載用バッテリ５９からの電力が遮断された際に、前記車載用バッテリ５９から前記補助バッテリ１２に切り換える切換手段たる接続部材６２を有することにより、自動車等の車輌の電源又は充電池等の電池で駆動するため、車載しても、また、他の交通手段を使っても容易に搬送が可能となるばかりでなく、人力で運搬されている前記搬送装置１を車載したり、逆に車載されている前記搬送装置１を下ろして人力で運搬したりする際にも、特別な操作無しで連続して電源が切り替わるので、温度調節されていない状態を無くすことができる。
【００５０】
また、上記実施例では、請求項５に対応して、請求項１から４において、前記断熱容器３内にスペーサたる目皿２１を設置すると共に、この目皿２１上に籠状の容器たるバスケット２２を設置可能に構成して、前記搬送庫３の内底部と前記バスケット２２の底部との間に間隙Ｋを形成したことにより、籠状のバスケット２２の底側にも間隙Ｋにより通風路が形成されたことにより、庫内に収容された血液製剤Ｐの温度を均一にすることが可能となる。
【００５１】
また、上記実施例では、請求項６に対応して、請求項１から５において、前記制御回路６５が、選択された温度帯域６６，６７，６８から庫内温度が外れた場合に警告する警報手段たるアラーム６５Ａを有することにより、庫内の温度の異常を読取って、庫内の血液製剤Ｐの保存状況を把握し、トレーサビリティを向上させることで、最適な品質維持を可能とする。
【００５２】
また、上記実施例では、請求項７に対応して、請求項１から６において、前記温度制御ユニット４と前記断熱容器３とがそれぞれ独立して設けられていると共に、前記温度制御ユニット４が前記断熱容器３に対して着脱可能に構成されていることにより、任意の断熱容器３に対して前記温度制御ユニット４を組み合わせることが可能となるので、前記搬送装置１の運用の自由度を向上させることができる。
【００５３】
なお、本発明は以上の実施例に限定されるものではなく、発明の要旨の範囲内で種々の変形実施が可能である。例えば、上記実施例では、切換手段を接続手段によって実現しているが、制御回路の側に切換手段を設け、この制御回路が電源を切り換えるようにしても良い。この場合、補助電源は前記接続手段によって外部電源に接続されるのではなく、制御回路を介して外部電源に接続されることになる。また、上記実施例では、赤血球、血小板、凍結血漿の保存温度帯域である第一〜三の温度帯域が選択可能であるが、赤血球と血小板の保存温度帯域である第一〜二の温度帯域のみが選択可能であってもよく、逆に、赤血球、血小板、凍結血漿の保存温度帯域である第一〜三の温度帯域以外の温度帯域、例えば血液自体の保存温度帯域が選択可能であってもよい。
【図面の簡単な説明】
【００５４】
【図１】本発明の一実施例を示す血液製剤の搬送装置の側断面図である。
【図２】同上、血液製剤の搬送装置の縦断面図である。
【図３】同上、温度制御ユニットの側断面図である。
【図４】同上、温度制御ユニットの縦断面図である。
【図５】同上、温度制御ユニットのヒートシンク付近を示す平断面図である。
【図６】同上、搬送装置の回路図である。
【図７】同上、電源供給側の変形例を示す回路図である。
【図８】同上、温度制御ユニットの制御系統を示すブロック図である。
【図９】同上、搬送装置を上下に２台に重ねた状態を示す正面図である。
【符号の説明】
【００５５】
１  搬送装置
３  断熱容器（搬送庫）
４  温度制御ユニット（温度制御手段）
１２  補助バッテリ（二次電池）
１２Ａ  充電回路
２１  目皿（スペーサ）
２２  バスケット（容器）
４５  スターリング冷凍機
５０  ヒートシンク（吸熱用熱交換器）
５３  シーズヒータ（ヒータ）
５９  車載用バッテリ（直流電源）
６１  第二の接続端子（受電手段）
６２  接続部材（受電手段）
６５  制御回路
６６  第一の温度帯域
６７  第二の温度帯域
６８  第三の温度帯域
Ｐ  血液製剤
【図１】
2008086608.tif 000003
【図２】
2008086608.tif 000004
【図３】
2008086608.tif 000005
【図４】
2008086608.tif 000006
【図５】
2008086608.tif 000007
【図６】
2008086608.tif 000008
【図７】
2008086608.tif 000009
【図８】
2008086608.tif 000010
【図９】
2008086608.tif 000011